(57)【要約】【課題】引出し扉を引出した状態での異常な過負荷荷重が引出し扉に加わった時でもスムーズに開閉できる信頼性の高い冷蔵庫の引出し扉装置を提供すること。【解決手段】冷蔵庫本体の下側仕切壁５ａにおける前方部に周面が突出するように設けられ、フレーム２を摺動保持する本体側固定ローラー６と、この本体側固定ローラーの近傍に上記フレームの左右両側部を挟む如く立設され、上記フレームの左右方向一側方向への移動を制限すると共に、上記引出し扉を引出したときに上記移動ローラーに係止する第１の当接部７１、及び上記フレームの左右方向他側方向への移動を制限する第２の当接部７２とを備えるようにした。【選択図】図１
2008121976.tif 000002
【特許請求の範囲】
【請求項１】
食品等を収納するケースを保持するフレームが取り付けられ、冷蔵庫本体に対して引出し可能に設けられた引出し扉と、
上記フレームの後部に設けられ上記冷蔵庫本体に対して移動可能に係止された移動ローラーと、
上記冷蔵庫本体の下側仕切壁における前方部に周面が突出するように設けられ、上記フレームを保持する本体側固定ローラーと、
この本体側固定ローラーの近傍に上記フレームの左右両側部を挟む如く立設され、上記フレームの左右方向一側方向への移動を制限する第１の当接部、及び上記フレームの左右方向他側方向への移動を制限する第２の当接部と、
を備えたことを特徴とする冷蔵庫の引出し扉装置。
【請求項２】
上記第１の当接部、及び上記第２の当接部は、上記冷蔵庫本体とは別体で形成された樹脂成型体からなる当接部材に一体的に設けられていることを特徴とする請求項１記載の冷蔵庫の引出し扉装置。
【請求項３】
上記第１の当接部、及び上記第２の当接部は、上記冷蔵庫本体の下側仕切壁と一体に形成されてなることを特徴とする請求項１記載の冷蔵庫の引出し扉装置。
【請求項４】
上記フレームは、それぞれ前後方向に延在するように形成された鉛直方向の第１フランジ部と、水平方向の第２フランジ部が設けられていることを特徴とする請求項１ないし請求項３の何れかに記載の冷蔵庫の引出し扉装置。
【請求項５】
上記第２の当接部は、上記第２フランジ部の上方向への変位を阻止する係止部が設けられていることを特徴とする請求項４記載の冷蔵庫の引出し扉装置。
【請求項６】
上記請求項１ないし請求項５の何れか１つに記載の引出し扉装置を備えてなることを特徴とする冷蔵庫。
【発明の詳細な説明】
【技術分野】
【０００１】
本発明は、冷蔵庫の引出し扉装置、及び冷蔵庫に関するものである。
【背景技術】
【０００２】
従来の冷蔵庫の引出し扉装置として、冷蔵庫本体に設けられ、食品等を収納するケースを載置したフレームが取り付けられた引出し扉と、上記フレームの後部に設けられた移動ローラーと、上記本体の内箱に設けられ、上記移動ローラーが収納されて摺動し、側壁面が外側に湾曲したレール部と、上記本体の下側中仕切壁に設けられ、上記フレームが摺動する本体側固定ローラーとを備えたものがある（例えば、特許文献１参照）。
【０００３】
【特許文献１】特開平１１−２０１６２５号公報（第１頁、図４）
【発明の開示】
【発明が解決しようとする課題】
【０００４】
上記のように構成された従来の技術では、引出し扉に設けられている左右のフレームを連結する支え棒を外し、引出し扉を引出した状態で該引出し扉に異常な過負荷荷重が加わった場合に、上記フレームに外側方向のねじれが発生し、フレームに保持されている食品等を収納するケースが所定の位置を保持できないという課題があった。
【０００５】
この発明は、上記のような従来技術の課題を解決するためになされたものであり、引出し扉を引出した状態で、異常な過負荷荷重が引出し扉に加えられてもフレームの外側方向へのねじれが抑制され、フレームに保持されている食品等を収納するケースを所定の位置に保持できる冷蔵庫の引出し扉装置、及び冷蔵庫を提供することを目的としている。
【課題を解決するための手段】
【０００６】
この発明に係る冷蔵庫の引出し扉装置、及び冷蔵庫は、食品等を収納するケースを保持するフレームが取り付けられ、冷蔵庫本体に対して引出し可能に設けられた引出し扉と、上記フレームの後部に設けられ上記冷蔵庫本体に対して移動可能に係止された移動ローラーと、上記冷蔵庫本体の下側仕切壁における前方部に周面が突出するように設けられ、上記フレームを保持する本体側固定ローラーと、この本体側固定ローラーの近傍に上記フレームの左右両側部を挟む如く立設され、上記フレームの左右方向一側方向への移動を制限する第１の当接部、及び上記フレームの左右方向他側方向への移動を制限する第２の当接部とを備えるようにしたものである。
【発明の効果】
【０００７】
この発明によれば、第１の当接部と第２の当接部がフレームの左右両側部を挟む如く立設されていることにより、引出された状態の引出し扉に異常な過負荷荷重が加わったときに発生するフレームの外側方向へのねじれによるフレーム底部の内側方向への変位挙動が第２の当接部によって抑制され、フレームに保持されている食品等を収納するケースを所定の位置に保持できる。
【発明を実施するための最良の形態】
【０００８】
実施の形態１．
図１〜図６は本発明の実施の形態１による冷蔵庫の引出し扉装置、及び冷蔵庫を説明するもので、図１は冷蔵庫の引出し扉装置を背面側から見た斜視図、図２は図１のＡ部拡大図、図３は図１、図２に示された当接部材を示す拡大斜視図、図４〜図６は動作説明図である。図において、冷蔵庫の引出し扉装置は、食品等を収納するケース１と、このケース１を保持するフレーム２が取り付けられた引出し扉３と、上記フレーム２の後部に設けられた移動ローラー４と、１点鎖線で示す冷蔵庫本体５の例えば中仕切壁等の下側仕切壁５ａに周面が突出するように設けられフレーム２の下部を保持する本体側固定ローラー６、この本体側固定ローラー６の両側部近傍にフレーム２の左右両側部を挟む如く狭い所定間隙を保持して立設され、フレーム２の左右方向一側方向（図２では右下方向）への移動を制限すると共に、引出し扉３を引出したときに移動ローラー４に当接する第１の当接部７１、及びフレーム２の左右方向他側方向（図２では左上方向）への移動を制限する第２の当接部７２が設けられた当接部材７とを備えている。
【０００９】
上記フレーム２は、前後方向に伸びて延在する鉛直方向の第１フランジ部２１及び水平方向の第２フランジ部２２を有し、第１フランジ部２１を外側にしてケース１の左右に面対照的に設けられている。そして、第２フランジ部２２の上面でケース１の左右両側の下面部を保持し、第１フランジ部２１の内側でケース１の左右方向の移動を制限して該ケース１を保持している。また、移動ローラー４は第１フランジ部２１の後部に回転自在に軸支され、冷蔵庫本体５の左右の側壁にそれぞれ設けられた図示省略しているガイドレールに移動自在に係止されている。また、第２フランジ部２２の下面は本体側固定ローラー６の外周面上に重力方向に保持され、引出し扉３を出し入れするときに本体側固定ローラー６が回転することで、移動ローラー４と協働してスムーズな開閉操作を可能にしている。
【００１０】
上記当接部材７は、この実施の形態１では冷蔵庫本体５とは別体の例えばＡＢＳ樹脂などを用いて射出成型された樹脂成型体からなり、図３に示すように第１の当接部７１及び第２の当接部７２を一体的に立設している他、中央部に本体側固定ローラー６が図示省略している支軸に支承されて回動自在に組込まれ、更に第１及び第２の当接部７１、７２の間に第３の当接部７３が本体側固定ローラー６の周面の頂点より低くなるように突設されてなり、下側仕切壁５ａにおける前方部に基部７ａを埋め込む如く左右対照的に一対取付けられている。また、フレーム２の後端部は支え棒２３によって相互に連結されている。なお、前後、左右、及び上下の位置関係は冷蔵庫本体５を正面側から見たときのものである。また、各図を通じて同一符号は同一または相当部分を示すものとする。
【００１１】
次に、上記のように構成された実施の形態１の動作について説明する。なお、引出し扉３の冷蔵庫本体５に対する着脱方法、及び引出し操作に伴う本体側固定ローラー６とフレーム２に設けられた移動ローラー４の動作は従来周知の装置と同様であるので説明を省略する。図４は、上記図１〜図３に示す引出し扉装置について行われた耐荷重試験における各部材の挙動を説明する斜視図である。図４において、支え棒２３が取外された状態で引出し扉３が前方いっぱいに引出され、異常な過負荷荷重Ｐが加わったとき、上記フレーム２には矢印Ｑで示す外側方向への捻り荷重が加わる。この際に上記フレーム２には矢印Ｒで示す内側方向の挙動が生じる。同時に上記フレーム２に加わる上記捻り荷重Ｑによりケース１には上方向の力Ｓが作用する。
【００１２】
図５は、図４のＢ部を拡大して示す説明図である。図５において、上記フレーム２には内側方向の挙動Ｒにより正常位置のフレーム２は過負荷荷重Ｐが加わったフレーム２Ｘのように変位する。また上記内側方向の挙動Ｒにより内側方向の挙動寸法Ｌが生じる。しかし、この実施の形態１ではフレーム２の左右両側部を挟む如く所定の狭い間隙を保持して第１の当接部７１及び第２の当接部７２が立設されていることにより、フレーム２に働く捻り荷重Ｑ、内側方向の挙動Ｒを抑制し、ケース１が上方向の力Ｓにより所定の位置を保持できなくなるといった事態を回避している。
【００１３】
図６は、図４に示すフレーム２に働く内側方向への挙動の抑制効果を説明するグラフ図である。図６において、支え棒２３を除去した場合、従来技術の当接部材では、第２の当接部７２を備えていないため、フレーム２の内側方向の挙動Ｒを抑制できないため、曲線Ｃに示すような特性となり、耐荷重試験の仕様範囲Ｄを満足することができない。これに対し本発明の実施の形態１における当接部材７によると、上記第２の当接部７２を備えていることにより、曲線Ｅのように耐荷重試験の仕様範囲Ｄ内に上記フレーム２の内側方向の挙動Ｒを抑制できる。この結果、上記引出し扉３を引出した状態での異常な過負荷荷重Ｐが引出し扉３に加わったときに発生するフレーム２の変位を抑制する。
【００１４】
上記のように、実施の形態１によれば、フレーム２の左右両側部を挟む如く所定の狭い間隙を保持して第１の当接部７１及び第２の当接部７２を立設したことにより、引出し扉３を引出した状態で該引出し扉３に異常な過負荷荷重が加わっても、フレーム２の外側方向のねじれによるフレーム２の第２フランジ部２２の内側方向の挙動を抑制し、フレーム２に保持されているケース１を所定の位置に保持できる。また、第１の当接部７１と第２の当接部７２がフレーム２の左右両側部を挟む如く立設されているので、引出し扉３を引出した状態でのフレーム２の左右ブレを抑制できる。さらに、フレーム２のねじれ防止や上記ケース１の位置ズレ止めの機能を有する支え棒２３を削減することもできる。また、該支え棒２３を削除した場合には引出し扉３の組立時間を短縮し、さらに支え棒３の材料費を削減できる。また、上記のように構成された引出し扉装置を備えた冷蔵庫（図示省略）は、引出し扉装置の取り扱いに上記のような過負荷荷重による無理が生じても支障を来たす事が無いため、使い勝手が良く、信頼性が高くなる。
【００１５】
実施の形態２．
図７は、本発明の実施の形態２による冷蔵庫の引出し扉装置、及び冷蔵庫の要部である当接部材を示す斜視図である。図において、当接部材７Ａに設けられた第２の当接部７２の第１の当接部７１に対向する面には、図２に示すフレーム２の第２フランジ部２２の上方向への変位を阻止する係止部７２ａが突出形成されている。係止部７２ａの下部と第３の当接部７３の図の左側上面には隙間Ｆが形成され、図２に示す第２フランジ部２２の先端部が該隙間Ｆに入り、該第２フランジ部２２の上方向への変位が阻止される。その他の構成は実施の形態１と同様であるので、図２も参照して説明する。
【００１６】
上記のように構成された実施の形態２においては、第２の当接部７２に係止部７２ａを設けたことで、隙間Ｆ部分における第２フランジ部２２の下端部の側面で左右方向他側方向（図７の左方向）へのフレーム２の変位を防ぐと共に、係止部７２ａがフレーム２の第２フランジ部２２の上方向への挙動を抑制するので、実施の形態１と同様の効果に加えてフレーム２の変位が一層確実に抑制されるという効果が得られる。
【００１７】
実施の形態３．
上記実施の形態１、２において、当接部材７は射出成形により製造され、成型用材料にＡＢＳ樹脂を用いたが、当接部材７は樹脂材料に限定されるものではなく、例えば金属を用いて同様に構成することもできる（図示省略）。金属を用いて構成した場合には、強度的に有利となるので、当接部材７を小形に形成することが出来る。
【００１８】
実施の形態４．
図８は本発明の実施の形態４による冷蔵庫の引出し扉装置の要部を示す斜視図である。図において、第１の当接部７１、第２の当接部７２及び第３の当接部７３は、下側仕切壁５ａに一体化されて該下側仕切壁５ａの前方部に突出形成されている。なお、本体側固定ローラー６は従来装置と同様に半埋め込み状態に図示省略しているピンによって回動可能に取付けられている。
上記のように構成された実施の形態３においては、実施の形態１と同様の効果が得られる他、第１、第２、第３の当接部７１、７２、７３が下側仕切壁５ａと一体化されていることで、組立が簡単に出来るなどの効果も得られる。
【００１９】
ところで、上記実施の形態の説明では、下側仕切壁５ａが中仕切壁の場合について説明したが必ずしも中仕切壁に限定されるものではなく、冷蔵庫本体５の最下段の仕切壁であっても同様に構成できる。また、第１及び第２の当接部７１、７２の形状や構造は図で例示したものに限定されないことは当然である。さらに、図６に示した耐荷重試験の仕様範囲Ｄ、及び曲線Ｅは参考例に過ぎないことは言うまでもない。
【図面の簡単な説明】
【００２０】
【図１】本発明の実施の形態１による冷蔵庫の引出し扉装置を背面側から見た斜視図。
【図２】図１のＡ部拡大図。
【図３】図１、図２に示された当接部材を示す拡大斜視図。
【図４】図１〜図３に示す引出し扉装置について行われた耐荷重試験における各部材の挙動を説明する斜視図。
【図５】図４のＢ部拡大図。
【図６】図４に示すフレーム２の内側方向への挙動の抑制効果を説明するグラフ図。
【図７】本発明の実施の形態２による冷蔵庫の引出し扉装置の要部である当接部材を示す斜視図。
【図８】本発明の実施の形態４による冷蔵庫の引出し扉装置の要部を示す斜視図。
【符号の説明】
【００２１】
１  ケース、  ２  フレーム、  ２１  第１フランジ部、  ２２  第２フランジ部、  ２３  支え棒、  ３  引出し扉、  ４  移動ローラー、  ５  冷蔵庫本体、  ５ａ  下側仕切壁、  ６  本体側固定ローラー、  ７、７Ａ  当接部材、  ７ａ  基部、  ７１  第１の当接部、  ７２  第２の当接部、  ７３  第３の当接部、  ７２ａ  係止部、  Ｆ  隙間。
【図１】
2008121976.tif 000003
【図２】
2008121976.tif 000004
【図３】
2008121976.tif 000005
【図４】
2008121976.tif 000006
【図５】
2008121976.tif 000007
【図６】
2008121976.tif 000008
【図７】
2008121976.tif 000009
【図８】
2008121976.tif 000010